(57)【特許請求の範囲】
【請求項１】
描板の上側にペン先受け部を同じく下側に磁石ペンの磁石よりも大きい磁力を備えた消去用磁石を同描板に沿って移動自在として配し、これ等ペン先受け部、消去用磁石を補助部材等を介して一体に上記移動の可能な状態で連結して成ることを特徴とする磁石ペン利用型黒板。
【請求項２】
描板の上側にツマミ部を同じく下側に消去用磁石を同描板に沿って移動自在として配し、これ等ツマミ部、消去用磁石を補助部材等を介して一体に上記移動の可能な状態で連結して成ることを特徴とする磁石ペン利用型黒板。
【発明の詳細な説明】
【０００１】
【発明が属する技術分野】
本発明は、先端に磁石をもつ磁石ペンを以て文字や絵を描出したり当該描出した文字や絵を所謂部分消去して描き直したりできる磁石ペン利用型黒板に関するものである。
【０００２】
【従来の技術】
従来知られている磁石ペン利用型黒板は、描板の裏面に配装した長い磁石付きスライド杆を移動させることによって当該描板上に描出した文字や絵の全部を一挙に消去する形式であって、描出した文字や絵の狭い一部分を意識的に消去して当該部分を描き直す等の操作ができないという致命的な欠陥があった。
【０００３】
【発明が解決しようとする課題】
本発明は、上記欠陥を解消する新規の磁石ペン利用型黒板を提供することを目的とするものである。
【０００４】
【課題を解決するための手段】
上記目的を達成するために本発明に係る磁石ペン利用型黒板は、描板の上側にペン先受け部を同じく下側に磁石ペンの磁石よりも大きい磁力を備えた消去用磁石を同描板に沿って移動自在として配し、これ等ペン先受け部、消去用磁石を補助部材等を介して一体に上記移動の可能な状態で連結して成るものであり、
【０００５】
または、描板の上側にツマミ部を同じく下側に消去用磁石を同描板に沿って移動自在として配し、これ等ツマミ部、消去用磁石を補助部材等を介して一体に上記移動の可能な状態で連結して成るものである。
【０００６】
【実施例】
図に示す実施例は、上下の硬質合成樹脂透明板１、２の間を仕切３により区画して同間に多数個の小室４を形成し且つこれ等各小室４の中に砂鉄５を分散した白色の不透明液体６を当該粉状磁性体が磁力を受けて移動可能な状態に密封することによって描板７を構成する。
【０００７】
またこれとは別個に、硬質合成樹脂材料を以て手前側の面および上側の面が開放した角型の手元側凹所９および上側の面のみが開放した角型の先側凹所１０を上面にもつ台盤１１を成形し、手元側凹所９の底面中央に一まわり小さい浅い凹部１２を設けて当該浅い凹部１２の中に上記の描板７を位置ズレしないように嵌着することによって手元側凹所９の底部に描板７を抜落不能に張設した黒板本体部１３を構成し、また先側凹所１０の先側の壁面に左右に長いカード出入れ口１４を開設して当該カード出入れ口１４を介して同先側凹所１０に多数枚のカード１５を格納し、よって入替え式表示窓１６を構成する。
【０００８】
更にこれ等とは別個に、硬質合成樹脂材料を以て２つ折り形状の補助部材１８を構成し、この補助部材１８の上辺部分２０の先端に内側丸底の皿状ペン先受け部２１を同じく下辺部分２２の先端に上方に向って開放する円形皿状部２３を相互にこれ等ペン先受け部２１、円形皿状部２３が対応する位置関係となる状態として設け、そして皿状部２３には消去用の円盤状フェライト磁石２４を嵌着すると共に上記手元側凹所９の先側の壁面に左右に長い移動用スリット２５を開設し、この移動用スリット２５の裏側から補助部材１８の上辺部分２０を差し込んで同上辺部分２０およびペン先受け部２１が描板７の上面に沿い下辺部分２２およびフェライト磁石２４が手元側凹所９の底部の下面に沿って移動可能として装着する。
【０００９】
また更にこれ等とは別個に、消去用の円盤状フェライト磁石２４よりも小さくて磁力の弱い粒状磁石２７を硬質合成樹脂材料製の棒状体２６の先端に取付けて文字および絵の描き用磁石ペン２８を構成し、この描き用磁石ペン２８の粒状磁石２７を上記の描板７の上面に軽く当てた状態で任意に動かしたときに同描板７に所望の文字および絵を描出するようにしたものである。
【００１０】
尚、図中符号３０は描き用磁石ペン２８のホルダー部、３１は円盤状フェライト磁石２４を押上げてその機能の確実性を高めるための弾性脚である。
【００１１】
【作用】
即ち、叙上に於て描板７の上面に描き用磁石ペン２８のペン先（粒状磁石２７）を当てて移動したときには、当該移動個所に存する小室４内の砂鉄５が天面に吸着して同小室４を黒に変色しよって筆跡を現出し、また描き用磁石ペン２８のペン先をペン先受け部２２内に嵌入させた状態で当該描き用磁石ペン２８をたとえば消したい文字や絵の一部もしくは全部のところで移動させたときには、補助部材１８を介して皿状部２３および円盤状フェライト磁石２４も一緒に移動して当該移動個所に存する小室４の天面に吸着した上記砂鉄５を当該小室４の底面に吸着して同小室４の天面を白に変色させよって筆跡を消去するようにしたものであって、当該消去操作のときの移動を少しだけとすることによって所謂部分消去のできるようにしたものである。
【００１２】
本発明は、ペン先受け部と並べてもしくは代わりに幼児好みのキャラクタの形や色をした手指操作ツマミを設けて手指でも磁石ペンを使わずに動かせるようにしたり、入替え式表示窓１６に予め、黒板本体部１３で描くための見本カードを格納しておいて小さい子供でも容易に真似しながら遊戯できるようにしたり、することが可能であって、このような本発明の精神を逸脱しない改変もしくは代替にも、本発明は当然及ぶものである。
【００１３】
【発明の効果】
請求項１に係る磁石ペン利用型黒板は、上記のように描板の上側にペン先受け部を同じく下側に磁石ペンの磁石よりも大きい磁力を備えた消去用磁石を同描板に沿って移動自在として配し、これ等ペン先受け部、消去用磁石を補助部材等を介して一体に上記移動の可能な状態で連結して成るので、描き用磁石ペンのペン先をペン先受け部内に嵌入させた状態で当該描き用磁石ペンをたとえば消したい文字や絵の一部のところまで移動させることによって筆跡の一部を消去することができ、また請求項２に係る磁石ペン利用型黒板は、上記のように描板の上側にツマミ部を同じく下側に消去用磁石を同描板に沿って移動自在として配し、これ等ツマミ部、消去用磁石を補助部材等を介して一体に上記移動の可能な状態で連結して成るので、ツマミを手指で操作してたとえば消したい文字や絵の一部のところまで移動させることによって筆跡の一部を消去することができるものであって、所期の目的を完全に達成する著効を奏するものである。
【図面の簡単な説明】
【図１】本発明に係る磁石ペン利用型黒板の実施例を示す斜視図である。
【図２】同じくＡーＡ線に沿う断面図である。
【図３】補助部材を示す斜視図である。
【図４】小室の上面を磁石ペンの先が移動した状態を示す拡大断面図である。
【図５】小室の下面をフェライト磁石が移動した状態を示す拡大断面図である。
【符号の説明】
１  硬質合成樹脂透明板
２  硬質合成樹脂透明板
３  仕切
４  小室
５  砂鉄
６  不透明液体
７  描板
９  手元側凹所
１０  先側凹所
１１  台盤
１２  浅い凹部
１３  黒板本体部
１４  カード出入れ口
１５  カード
１６  表示窓
１８  補助部材
２０  上辺部分
２１  ペン先受け部
２２  下辺部分
２３  円形皿状部
２４  フェライト磁石
２５  移動用スリット
２６  棒状体
２７  粒状磁石
２８  描き用磁石ペン
３０  ホルダー部
３１  弾性脚
【図１】
0003624137.tif 000002
【図２】
0003624137.tif 000003
【図３】
0003624137.tif 000004
【図４】
0003624137.tif 000005
【図５】
0003624137.tif 000006